(57)【要約】【課題】スペックルノイズの発生が少ない小型の照明装置を提供する。【解決手段】本発明の照明装置は、第１の波長を有する第１の光を射出する第１の発光装置と、第２の波長を有する第２の光を射出する第２の発光装置と、を備え、第１の光と第２の光とを含む光を射出する光源部と、光源部から射出された光を所定の集光位置に集光する集光光学系と、所定の集光位置に配置され、集光光学系から射出された光を拡散させる拡散部と、を備え、拡散部において、第１の光に対する拡散特性と第２の光に対する拡散特性とが互いに異なる。【選択図】図１
2019061110.tif 000002
【特許請求の範囲】
【請求項１】
第１の波長を有する第１の光を射出する第１の発光装置と、前記第１の波長とは異なる第２の波長を有する第２の光を射出する第２の発光装置と、を備え、前記第１の光と前記第２の光とを含む光を射出する光源部と、
前記光源部から射出された光を所定の集光位置に集光する集光光学系と、
前記所定の集光位置に配置され、前記集光光学系から射出された光を拡散させる拡散部と、
を備え、
前記拡散部において、前記第１の光に対する拡散特性と前記第２の光に対する拡散特性とが互いに異なる、照明装置。
【請求項２】
前記拡散部は、前記集光光学系から射出された光が入射する第１面と、前記第１面とは異なる第２面と、を有する透光性基板を備え、
前記第１面は、前記第１の光を透過および拡散させるとともに、前記第２の光を反射および拡散させ、
前記第２面は、前記第１の光を反射させる、請求項１に記載の照明装置。
【請求項３】
前記光源部は、前記第１の波長および前記第２の波長とは異なる第３の波長を有する第３の光を射出する第３の発光装置と、
を備え、
前記第１の光、前記第２の光および前記第３の光は、第１方向に射出され、
前記第２の発光装置の個数は、前記第１の発光装置の個数よりも多く、
前記第２の発光装置は、前記第１の発光装置を囲むように、前記第１の光の中心軸の周りに回転対称に設けられ、
前記第３の発光装置の個数は、前記第１の発光装置の個数よりも多く、
前記第３の発光装置は、前記第１の発光装置を囲むように、前記第１の光の前記中心軸の周りに回転対称に設けられている、請求項２に記載の照明装置。
【請求項４】
前記拡散部は、前記第１の光に対する拡散特性と前記第３の光に対する拡散特性とが互いに異なり、
前記第１面において、前記第３の光を反射および拡散させる、請求項３に記載の照明装置。
【請求項５】
前記第１の光は青色であり、
前記第２の光は緑色であり、
前記第３の光は赤色であり、
前記光源部は、１個の前記第１の発光装置と、３個の前記第２の発光装置と、３個の前記第３の発光装置と、を備えた、請求項３または請求項４に記載の照明装置。
【請求項６】
前記第１面は、前記第１の光の反射を防止する反射防止膜を備えた、請求項２から請求項５のいずれか一項に記載の照明装置。
【請求項７】
前記拡散部は、前記集光光学系で集光された前記光が照射されるとともに前記光を拡散させる拡散板と、前記拡散板を回転させる回転部と、を備えた、請求項１から請求項６のいずれか一項に記載の照明装置。
【請求項８】
請求項１から請求項７までのいずれか一項に記載の照明装置と、
前記照明装置からの光を画像情報に応じて変調することにより画像光を形成する光変調装置と、
前記画像光を投射する投射光学装置と、
を備えた、プロジェクター。
【発明の詳細な説明】
【技術分野】
【０００１】
本発明は、照明装置およびプロジェクターに関する。
【背景技術】
【０００２】
近年、プロジェクターの高性能化を目的として、広色域かつ高効率な光源であるレーザー光源を用いたプロジェクターが注目されている。例えば、下記の特許文献１には、個別に配置された赤色、緑色、青色の３色のレーザーと、各色のレーザーから射出された光を順次合成する２個のダイクロイックプリズムと、を有する光源装置およびこれを備えたプロジェクターが開示されている。
【先行技術文献】
【特許文献】
【０００３】
【特許文献１】特開２０１３−２３１９４０号公報
【発明の概要】
【発明が解決しようとする課題】
【０００４】
ところで、レーザー光源には、スペックルノイズの発生という問題がある。この問題を解決するために、レーザー光を透過させる光学素子を駆動する等の手法がよく用いられる。特許文献１では、表面に凹凸が形成された光学素子が２つのフライアイレンズ間に配置され、この光学素子を振動させる構成が採用されている。その他、モーターを用いて拡散板を回転させる手法も提案されている。
しかしながら、所望の色バランスを実現するために必要な光出力が発光色毎に同一でない、現状のレーザーチップ１個あたりの光出力が発光色毎に異なる、等の要因によって、発光色毎のレーザー光源の使用個数を同じにすることはできない。
【０００５】
レーザー光源の個数が発光色毎に異なる場合、拡散板への光の入射角が発光色毎に異なるため、拡散板の拡散特性も発光色毎に異ならせる必要がある。この問題は、各発光色の光の光路毎に異なる拡散特性を有する拡散板を別個に配置することによって解決することができる。ただし、この構成では、拡散板の使用枚数が多くなり、照明装置が大型化する、という新たな問題が発生する。
【０００６】
本発明の一つの態様は、上記の課題を解決するためになされたものであって、スペックルノイズの発生が少ない、小型の照明装置を提供することを目的の一つとする。また、本発明の一つの態様は、上記の照明装置を備えたプロジェクターを提供することを目的の一つとする。
【課題を解決するための手段】
【０００７】
上記の目的を達成するために、本発明の一つの態様の照明装置は、第１の波長を有する第１の光を射出する第１の発光装置と、前記第１の波長とは異なる第２の波長を有する第２の光を射出する第２の発光装置と、を備えており、前記第１の光と前記第２の光とを含む光を射出する光源部と、前記光源部から射出された光を所定の集光位置に集光する集光光学系と、前記所定の集光位置に配置され、前記集光光学系から射出された光を拡散させる拡散部と、を備え、前記拡散部において、前記第１の光に対する拡散特性と前記第２の光に対する拡散特性とが互いに異なる。
【０００８】
本発明の一つの態様の照明装置においては、拡散部における第１の光に対する拡散特性と第２の光に対する拡散特性とが互いに異なる。これにより、第１の発光装置の個数と第２の発光装置の個数が異なり、各発光色の光の入射角がそれぞれ異なっていても、第１の光の拡散角度分布と第２の光の拡散角度分布とを互いに近付けることができ、一方の光に対する拡散性能の不足を補うことができる。その結果、スペックルノイズの発生を抑制することができる。また、この構成によれば、波長の異なる光の光路毎に異なる拡散特性を有する拡散部を配置する必要がないため、小型の照明装置を実現することができる。
【０００９】
本発明の一つの態様の照明装置において、前記拡散部は、前記集光光学系から射出された光が入射する第１面と、前記第１面とは異なる第２面と、を有する透光性基板を備えていてもよく、前記第１面は、前記第１の光を透過および拡散させるとともに、前記第２の光を反射および拡散させ、前記第２面は、前記第１の光を反射させる構成であってもよい。
【００１０】
この構成によれば、集光光学系から射出された第１の光は、第１面を透過して透光性基板の内部に入射する際に１回拡散され、その後、第２面で反射して第１面を再度透過して透光性基板から射出する際に再度拡散される。一方、集光光学系から射出された第２の光は、第１面で反射する際に１回拡散され、透光性基板の内部に入射することはない。このように、第１の光が第１面で２回拡散され、第２の光が第１面で１回拡散されることにより、第１の光の拡散特性と第２の光の拡散特性とが異なる拡散部を実現することができる。
【００１１】
本発明の一つの態様の照明装置において、前記光源部は、前記第１の波長および前記第２の波長とは異なる第３の波長を有する第３の光を射出する第３の発光装置と、を備え、前記第１の光、前記第２の光および前記第３の光は、第１方向に射出され、前記第２の発光装置の個数は、前記第１の発光装置の個数よりも多く、前記第２の発光装置は、前記第１の発光装置を囲むように、前記第１の光の中心軸の周りに回転対称に設けられ、前記第３の発光装置の個数は、前記第１の発光装置の個数よりも多く、前記第３の発光装置は、前記第１の発光装置を囲むように、前記第１の光の前記中心軸の周りに回転対称に設けられていてもよい。
【００１２】
この構成によれば、第１の発光装置、第２の発光装置、および第３の発光装置を含む光源部の占有面積を小さくすることができる。これにより、異なる３色の光を含む光を射出することが可能な小型の光源部を実現することができる。また、第２の波長の第２の光の中心軸、および第３の波長の第３の光の中心軸を、第１の波長の第１の光の中心軸に一致させることができる。
【００１３】
本発明の一つの態様の照明装置において、前記拡散部は、前記第１の光に対する拡散特性と前記第３の光に対する拡散特性とが互いに異なり、前記第１面において、前記第３の光を反射および拡散させる構成であってもよい。
【００１４】
この構成によれば、集光光学系から射出された第１の光は、第１面を透過して透光性基板の内部に入射する際に１回拡散され、その後、第２面で反射して第１面を再度透過して透光性基板から射出する際に再度拡散される。一方、集光光学系から射出された第３の光は、第１面で反射する際に１回拡散され、透光性基板の内部に入射することはない。このように、第１の光が第１面で２回拡散され、第３の光が第１面で１回拡散されることにより、第１の光の拡散特性と第３の光の拡散特性とが異なる拡散部を実現することができる。
【００１５】
本発明の一つの態様の照明装置において、前記第１の光は青色であり、前記第２の光は緑色であり、前記第３の光は赤色であり、前記光源部は、１個の前記第１の発光装置と、３個の前記第２の発光装置と、３個の前記第３の発光装置と、を備えていてもよい。
【００１６】
この構成によれば、白色光を射出することが可能な小型の光源装置を実現することができる。
【００１７】
本発明の一つの態様の照明装置において、前記第１面は、前記第１の光の反射を防止する反射防止膜を備えていてもよい。
【００１８】
この構成によれば、第１の光が透光性基板の内部に入射する割合を高められるため、第１の光を十分に拡散させることができる。
【００１９】
本発明の一つの態様の照明装置において、前記拡散部は、前記集光光学系で集光された前記光が照射されるとともに前記光を拡散させる拡散板と、前記拡散板を回転させる回転部と、を備えていてもよい。
【００２０】
この構成によれば、拡散角度分布が時間的に変化する光が照明装置から射出されるため、スペックルノイズの少ない照明装置を提供することができる。
【００２１】
本発明の一つの態様のプロジェクターは、本発明の一つの態様の照明装置と、前記照明装置からの光を画像情報に応じて変調することにより画像光を形成する光変調装置と、前記画像光を投射する投射光学装置と、を備えたことを特徴とする。
【００２２】
この構成によれば、スペックルノイズの少ない画像を投射できる、小型のプロジェクターを実現することができる。
【図面の簡単な説明】
【００２３】
【図１】第１実施形態のプロジェクターの概略構成図である。
【図２】光源装置の斜視図である。
【図３】光源装置の正面図である。
【図４】照明装置の要部の拡大図である。
【図５】拡散板における青色光の光路を示す図である。
【図６】拡散板における緑色光の光路を示す図である。
【図７】拡散板における赤色光の光路を示す図である。
【図８】第２実施形態のプロジェクターの概略構成図である。
【発明を実施するための形態】
【００２４】
［第１実施形態］
以下、本発明の第１実施形態について、図１〜図７を用いて説明する。
本実施形態のプロジェクターは、半導体レーザーを用いた光源装置を備えた液晶プロジェクターの一例である。
なお、以下の各図面においては各構成要素を見やすくするため、構成要素によって寸法の縮尺を異ならせて示すことがある。
【００２５】
本実施形態のプロジェクター１０は、スクリーン（被投射面）ＳＣＲ上にカラー画像を表示する投射型画像表示装置である。プロジェクター１０は、赤色光ＬＲ２、緑色光ＬＧ２、青色光ＬＢ２の各色光に対応した３つの光変調装置を用いている。プロジェクター１０は、光源装置の発光素子として、高輝度・高出力な光が得られる半導体レーザーを用いている。
【００２６】
図１は、本実施形態のプロジェクター１０の概略構成図である。
図１に示すように、プロジェクター１０は、照明装置７００と、色分離導光光学系２００と、赤色光用光変調装置４００Ｒと、緑色光用光変調装置４００Ｇと、青色光用光変調装置４００Ｂと、合成光学系５００と、投射光学装置６００と、を備えている。赤色光用光変調装置４００Ｒ、緑色光用光変調装置４００Ｇ、および青色光用光変調装置４００Ｂは、照明装置７００からの光を画像情報に応じて変調することにより画像光を形成する。投射光学装置６００は、画像光を投射する。
【００２７】
照明装置７００は、光源装置７１０と、集光光学系７２０と、拡散装置７４０（拡散部）と、ピックアップ光学系７３０と、インテグレーター光学系７８０と、を備えている。照明装置７００において、拡散装置７４０、ピックアップ光学系７３０およびインテグレーター光学系７８０は、照明装置７００から射出される光ＬＷの中心軸に一致する光軸ＡＸ０上に設けられている。光源装置７１０、集光光学系７２０および拡散装置７４０は、光軸ＡＸ０と直交する光軸ＡＸ１上に設けられている。
【００２８】
以下、照明装置７００から光ＬＷが射出される方向をＹ方向とし、光源装置７１０から光が射出される方向をＸ方向とし、Ｘ方向およびＹ方向と垂直な方向をＺ方向として説明する。光軸ＡＸ１はＸ軸と平行であり、光軸ＡＸ０はＹ軸と平行である。
【００２９】
図２は、光源装置７１０の斜視図である。図２においては、図面を見やすくするため、一部の半導体レーザーの台座の図示を省略する。
図３は、光源装置７１０を光の射出方向から見た正面図である。
図２および図３に示すように、光源装置７１０は、光源部７５０と、保持部材７１２と、を備えている。光源部７５０は、少なくとも一つの青色半導体レーザー７１１Ｂ（第１の発光装置）と、複数の緑色半導体レーザー７１１Ｇ（第２の発光装置）と、複数の赤色半導体レーザー７１１Ｒ（第３の発光装置）と、を備えている。
【００３０】
本実施形態では、光源部７５０は、１個の青色半導体レーザー７１１Ｂと、３個の緑色半導体レーザー７１１Ｇと、３個の赤色半導体レーザー７１１Ｒと、を備えている。各発光色の半導体レーザーの個数として、上記の例が好ましい理由については後で説明する。
【００３１】
ただし、場合によっては、光源装置７１０は、複数の青色半導体レーザー７１１Ｂを備えていてもよく、少なくとも一つの青色半導体レーザー７１１Ｂを備えていればよい。また、緑色半導体レーザー７１１Ｇおよび赤色半導体レーザー７１１Ｒの個数は、必ずしも３個でなくてもよい。また、緑色半導体レーザー７１１Ｇの個数と赤色半導体レーザー７１１Ｒの個数とが異なっていてもよい。
【００３２】
青色半導体レーザー７１１Ｂは、第１の波長を有する青色光ＬＢ（第１の波長を有する第１の光）をＸ方向（第１の方向）に射出する。第１の波長は、例えば４５５ｎｍ±２０ｎｍである。緑色半導体レーザー７１１Ｇは、第２の波長を有する緑色光線ＬＧ１をＸ方向（第１の方向）に射出する。第２の波長は、例えば５５０ｎｍ±３０ｎｍである。赤色半導体レーザー７１１Ｒは、第３の波長を有する赤色光線ＬＲ１をＸ方向（第１の方向）に射出する。第３の波長は、例えば６３５ｎｍ±２０ｎｍである。
【００３３】
すなわち、青色半導体レーザー７１１Ｂ、緑色半導体レーザー７１１Ｇおよび赤色半導体レーザー７１１Ｒのそれぞれは、同一の方向に異なる色の色光ＬＢ，ＬＧ１，ＬＲ１を射出する。これにより、光源装置７１０（光源部７５０）の全体として、これら３色の色光ＬＢ，ＬＧ１，ＬＲ１を含む白色の光が射出される。
【００３４】
以下の説明では、３個の緑色半導体レーザー７１１Ｇから射出された３本の緑色光線ＬＧ１を合わせて緑色光ＬＧ（第１の波長とは異なる第２の波長を有する第２の光）と称する。３個の赤色半導体レーザー７１１Ｒから射出された３本の赤色光線ＬＲ１を合わせて赤色光ＬＲ（第１の波長および第２の波長とは異なる第３の波長を有する第３の光）と称する。
【００３５】
青色半導体レーザー７１１Ｂ、緑色半導体レーザー７１１Ｇ、および赤色半導体レーザー７１１Ｒのそれぞれは、ＣＡＮパッケージタイプの半導体レーザーで構成されている。図２に示すように、台座７１３と台座７１３の一面側を覆う缶体７１４とからなるパッケージ７１６のそれぞれには、図３に示すように、一つ以上の半導体レーザーチップ７１５Ｂ、一つ以上の半導体レーザーチップ７１５Ｇ、または一つ以上の半導体レーザーチップ７１５Ｒが収容されている。
【００３６】
青色半導体レーザー７１１Ｂは、青色半導体レーザーチップ７１５Ｂと、青色半導体レーザーチップ７１５Ｂを内部に収容する青色光用パッケージ７１６Ｂと、を備えている。
【００３７】
緑色半導体レーザー７１１Ｇは、緑色半導体レーザーチップ７１５Ｇと、緑色半導体レーザーチップ７１５Ｇを内部に収容する緑色光用パッケージ７１６Ｇと、を備えている。
【００３８】
赤色半導体レーザー７１１Ｒは、赤色半導体レーザーチップ７１５Ｒと、赤色半導体レーザーチップ７１５Ｒを内部に収容する赤色光用パッケージ７１６Ｒと、を備えている。
【００３９】
青色光用筐体７１６Ｂ、緑色光用筐体７１６Ｇおよび赤色光用筐体７１６Ｒの各々は、台座７１３と、缶体７１４と、から構成されている。また、図３の例では、一つの半導体レーザーチップ７１５Ｂ，７１５Ｇ，７１５Ｒがそれぞれ各筐体７１６Ｂ，７１６Ｇ，７１６Ｒの内部に収容されているが、複数の半導体レーザーチップ７１５Ｂ，７１５Ｇ，７１５Ｒがそれぞれ各筐体７１６Ｂ，７１６Ｇ，７１６Ｒの内部に収容されていてもよい。
【００４０】
半導体レーザー（半導体レーザーチップ）の発光効率は発光色毎に異なるため、半導体レーザーの光出力も発光色毎に異なる。すなわち、青色半導体レーザー７１１Ｂの発光効率は、緑色半導体レーザー７１１Ｇの発光効率および赤色半導体レーザー７１１Ｒの発光効率よりも高い。半導体レーザーチップの発光効率が相対的に低い場合でも、当該半導体レーザーチップに入力する投入電力を増加させれば、半導体レーザーチップから射出される光出力を増加させることができるが、投入電力の増加は、半導体レーザーチップの温度を上昇させ、発光効率の低下や寿命の低下を生じさせる。したがって、投入電力が同じであれば、青色半導体レーザー７１１Ｂの光出力は、緑色半導体レーザー７１１Ｇの光出力および赤色半導体レーザー７１１Ｒの光出力よりも高い。
【００４１】
一例を示すと、日亜化学工業株式会社、ホームページ、製品情報、「レーザーダイオード（ＬＤ）」［online］、［平成２９年０９月１４日検索］、インターネット〈URL:http://www.nichia.co.jp/jp/product/laser.html〉によれば、青色半導体レーザー（型番：NDB7K75）の光出力は例えば３．５Ｗ（使用温度：２５℃）であり、緑色半導体レーザー（型番：NDG7K75T）の光出力は例えば１Ｗ（使用温度：２５℃）である。上記のホームページに記載されていないが、青色半導体レーザーアレイ（型番：NUBM08-02）が提供されており、この青色半導体レーザーアレイは、光出力が４．５Ｗ（２５℃）の青色半導体レーザーを複数備えている。
三菱電機株式会社、ホームページ、ニュースリリース、「プロジェクター用６３９ｎｍ赤色高出力半導体レーザー発売のお知らせ」［online］、［平成２９年０９月１４日検索］、インターネット〈URL:http://www.mitsubishielectric.co.jp/news/2016/1214.html〉によれば、赤色光用半導体レーザー（型番：ML562G85）の光出力は例えば２．１Ｗ（２５℃）である。
【００４２】
上記の温度２５℃での光出力を実使用温度４５℃での光出力に換算すると、各発光色の半導体レーザーの光出力は、下記の表１の通りである。
【００４３】
【表１】
2019061110.tif 000003
【００４４】
すなわち、１個の青色半導体レーザー（型番：NDB7K75）の光出力は２．８Ｗとなり、青色半導体レーザーアレイ（型番：NUBM08-02）が備えている青色半導体レーザー１個の光出力は４．１Ｗとなり、１個の緑色半導体レーザー（型番：NDG7K75T）の光出力は０．８Ｗとなり、１個の赤色半導体レーザー（型番：ML562G85）の光出力は１．２６Ｗとなる。
【００４５】
一方、明るさが１０００ｌｍ、２０００ｌｍ、３０００ｌｍのそれぞれの白色光（色温度６５００Ｋ）を得るのに必要な発光色毎の半導体レーザーの光出力、およびこの白色光を得るのに必要な発光色毎の半導体レーザー（ＣＡＮパッケージタイプの半導体レーザー）の個数は、下記の表２の通りである。
【００４６】
【表２】
2019061110.tif 000004
【００４７】
表２の最下段に示すように、明るさが１０００ｌｍの白色光を得るのに必要な発光色毎の半導体レーザーの光出力は、青色半導体レーザーが１．２３Ｗであり、緑色半導体レーザーが２．０３Ｗであり、赤色半導体レーザーが２．９２Ｗである。表２の必要光出力値［Ｗ］と表１の１個あたりの半導体レーザーの光出力［Ｗ／個］とから算出すると、明るさが１０００ｌｍの白色光を得るのに必要な半導体レーザーの個数は、青色半導体レーザー（型番：NDB7K75）が１個、緑色半導体レーザー（型番：NDG7K75T）が３個、赤色半導体レーザー（型番：ML562G85）が３個となる。これは、本実施形態の光源装置７１０（光源部７５０）の各半導体レーザー７１１Ｂ，７１１Ｇ，７１１Ｒの個数と一致する。ただし、表２において、明るさ３０００ｌｍに対しては、青色半導体レーザーアレイ（型番：NUBM08-02）が備えている青色半導体レーザー１個を用いている。
【００４８】
以上のことから、本実施形態の光源装置７１０の光出力は、光束が１０００ｌｍ程度の小型プロジェクターの光源装置として好適である。
【００４９】
なお、一つの半導体レーザーが一つの半導体レーザーチップを備えている場合、半導体レーザーの発光効率は、半導体レーザーチップの発光効率と等しい。また、一つの半導体レーザーが複数の半導体レーザーチップを備えている場合、半導体レーザーの発光効率は、複数の半導体レーザーチップの発光効率の合計と等しい。
【００５０】
本発明者の推察によれば、今後、半導体レーザー技術の進歩により各発光色の半導体レーザー７１１Ｂ，７１１Ｇ，７１１Ｒの光出力が上記の数値よりも増加する可能性はあるが、白色光を得るのに必要な各色の半導体レーザー７１１Ｂ，７１１Ｇ，７１１Ｒの個数の比率は変わらない。したがって、本実施形態では、１個の青色半導体レーザー７１１Ｂ、３個の緑色半導体レーザー７１１Ｇ、および３個の赤色半導体レーザー７１１Ｒを備えた光源装置７１０を例示するが、各半導体レーザーの個数はこの例に限定されない。
【００５１】
保持部材７１２は、複数の半導体レーザー７１１Ｂ，７１１Ｇ，７１１Ｒの個数に対応し、缶体７１４の寸法に対応した７個の孔が設けられた円形の板材で構成されている。板材の材料は特に限定されないが、例えば熱伝導率が高い金属が望ましい。複数の半導体レーザー７１１Ｂ，７１１Ｇ，７１１Ｒの各々は、保持部材７１２の孔に缶体７１４が挿通された状態で台座７１３の一面が保持部材７１２の保持面７１２ａに当接することによって保持部材７１２に支持されている。このように、保持部材７１２は、複数の半導体レーザー７１１Ｂ，７１１Ｇ，７１１Ｒからの光の射出方向とは反対側を向くように配置された保持面７１２ａを有する。
【００５２】
図３に示すように、複数の半導体レーザー７１１Ｂ，７１１Ｇ，７１１Ｒのうち、青色半導体レーザー７１１Ｂは、光源部７５０の中心部に位置するように保持部材７１２に配置されている。複数の緑色半導体レーザー７１１Ｇおよび複数の赤色半導体レーザー７１１Ｒは、青色半導体レーザー７１１Ｂを取り囲むように、保持部材７１２における青色半導体レーザー７１１Ｂの周辺領域に配置されている。
【００５３】
緑色半導体レーザー７１１Ｇと赤色半導体レーザー７１１Ｒとは、青色半導体レーザー７１１Ｂを中心とする仮想円上に位置するように保持部材７１２に配置されている。緑色半導体レーザー７１１Ｇと赤色半導体レーザー７１１Ｒとは、仮想円の周方向に沿って交互に設けられている。
【００５４】
なお、当該仮想円の中心は、青色半導体レーザー７１１Ｂの青色光ＬＢの光の中心軸Ｃ１（図５参照）に一致していてもよい。個々の赤色半導体レーザー７１１Ｒが射出する赤色光線ＬＲ１の光の中心軸は、当該仮想円上にあってもよい。個々の緑色半導体レーザー７１１Ｇが射出する緑色光線ＬＧ１の光の中心軸は、当該仮想円上にあってもよい。
【００５５】
以上の配置により、光源部７５０において、青色半導体レーザー７１１Ｂ、緑色半導体レーザー７１１Ｇおよび赤色半導体レーザー７１１Ｒの発光中心同士を結んだ複数の直線ｍが互いになす角度は、互いに等しく、全て６０°である。
また、３本の直線ｍが、青色半導体レーザー７１１Ｂの青色光ＬＢの光の中心軸Ｃ１（図５参照）の周囲に形成する角度をそれぞれ中心角としたそれぞれの扇形の円弧の長さは、互いに等しい。なお、複数の扇形の中心角は、互いに等しく、全て６０°である。
同様に、３本の直線ｍが、半導体レーザーチップ７１５Ｂおよびその近傍に形成する角度をそれぞれ中心角としたそれぞれの扇形の円弧の長さは、互いに等しい。なお、複数の扇形の中心角は、互いに等しく、全て６０°である。
【００５６】
複数の半導体レーザー７１１Ｂ，７１１Ｇ，７１１Ｒにおいて、隣り合う半導体レーザー同士の青色光用筐体７１６Ｂ、緑色光用筐体７１６Ｇおよび赤色光用筐体７１６Ｒは、台座７１３の部分で互いに当接している。なお、複数の半導体レーザー７１１Ｇ，７１１Ｒの台座７１３は互いに当接していなくてもよい。すなわち、赤色半導体レーザー７１１Ｒが射出する赤色光線ＬＲ１の光の中心軸および緑色半導体レーザー７１１Ｇが射出する緑色光線ＬＧ１の光の中心軸が、仮想円上に交互に等間隔で配置されていてもよい。
【００５７】
このように、複数の緑色半導体レーザー７１１Ｇは、青色半導体レーザー７１１Ｂの周辺領域において、青色光ＬＢの中心軸の周りに回転対称に設けられている。また、複数の赤色半導体レーザー７１１Ｒは、青色半導体レーザー７１１Ｂの周辺領域において、青色光ＬＢの中心軸の周りに回転対称に設けられている。
複数の緑色半導体レーザー７１１Ｇが、青色半導体レーザー７１１Ｂを囲むように、青色光ＬＢの中心軸の周りに回転対称に設けられる、とは、上述したような配置、位置関係を満たしていればよい。また同様に、複数の赤色半導体レーザー７１１Ｒが、青色半導体レーザー７１１Ｂを囲むように、青色光ＬＢの中心軸の周りに回転対称に設けられる、とは、上述したような配置、位置関係を満たしていればよい。
【００５８】
青色半導体レーザー７１１Ｂと緑色半導体レーザー７１１Ｇおよび赤色半導体レーザー７１１Ｒとは、半導体レーザーチップ７１５Ｂ，７１５Ｇ，７１５Ｒの向き（矩形状の半導体レーザーチップの長辺）が同じ方向を向くように配置されている。図３に示す例では、青色半導体レーザー７１１Ｂ、緑色半導体レーザー７１１Ｇおよび赤色半導体レーザー７１１Ｒは、半導体レーザーチップ７１５Ｇ，７１５Ｒの長辺がＹ軸と平行になるように配置されている。
【００５９】
このように、青色半導体レーザー７１１Ｂ、緑色半導体レーザー７１１Ｇおよび赤色半導体レーザー７１１Ｒは、半導体レーザーチップ７１５Ｂ，７１５Ｇ，７１５Ｒの向き（矩形状の半導体レーザーチップの長辺）が同じに配置されているが、青色半導体レーザー７１１Ｂおよび緑色半導体レーザー７１１Ｇと、赤色半導体レーザー７１１Ｒとでは、発振モードの違いにより、互いに異なる方向の直線偏光を射出する。具体的には、青色半導体レーザー７１１Ｂおよび緑色半導体レーザー７１１Ｇとは、拡散板７４１に対するＰ偏光を射出し、赤色半導体レーザー７１１Ｒは、拡散板７４１に対するＳ偏光を射出する。この場合、各光変調装置４００Ｒ、４００Ｇ、４００Ｂの偏光板を光の偏光方向に合わせて配置すればよい。また、赤色半導体レーザー７１１Ｒの半導体レーザーチップ７１５Ｒの向きを他の半導体レーザー７１１Ｂ、７１１Ｇの半導体レーザーチップ７１５Ｂ、７１５Ｇの向きに対して射出光（赤色光線ＬＲ１）の中心軸周りに９０°回転させることにより、射出する直線偏光の方向を同じにすることができる。
【００６０】
以上の構成により、光源装置７１０は、青色光ＬＢ、緑色光ＬＧおよび赤色光ＬＲを含む白色の光ＬＷを射出する。
【００６１】
図１に示すように、集光光学系７２０は、光源装置７１０から射出された光ＬＷを所定の集光位置、具体的には後述する拡散装置７４０の拡散板７４１上に集光する。集光光学系７２０は、一つの凸レンズ７２１から構成されている。なお、集光光学系７２０は、複数のレンズから構成されていてもよい。
【００６２】
図４は、光源装置７１０、集光光学系７２０および拡散装置７４０を含む照明装置７００の拡大図である。
図４に示すように、拡散装置７４０は、拡散板７４１と、拡散板７４１を回転させるためのモーター７４５（回転部）と、を備えている。拡散板７４１は、集光光学系７２０から射出された光が入射する第１面７４１ａと、第１面７４１ａとは異なり、第１面７４１ａに対向する第２面７４１ｂと、を有している。拡散装置７４０は、集光光学系７２０の所定の集光位置に配置され、集光光学系７２０から射出された光を拡散させる。
【００６３】
拡散板７４１は、第１面７４１ａおよび第２面７４１ｂが光軸ＡＸ０および光軸ＡＸ１のそれぞれに対して４５°の角度をなすように配置されている。光ＬＷは、拡散板７４１で拡散反射することにより、光軸ＡＸ０を中心とした所定の角度分布を有する拡散光となって拡散装置７４０から射出され、図１に示すインテグレーター光学系７８０に向かう。
【００６４】
図５は、拡散板７４１における青色光ＬＢの光路を示す図である。図６は、拡散板７４１における緑色光ＬＧの光路を示す図である。図７は、拡散板７４１における赤色光ＬＲの光路を示す図である。
図５〜図７に示すように、拡散板７４１は、透光性基板７４２と、拡散構造体７４３と、波長選択膜７４６と、反射防止膜７４７と、反射膜７４８と、を備えている。なお、波長選択膜７４６と反射防止膜７４７とは、一体構造の膜（多層膜）であってもよい。青色光に対して反射防止機能を発揮し、緑色光と赤色光に対して反射機能を発揮する膜は、誘電体多層膜によって実現が可能である。
【００６５】
透光性基板７４２は、例えばガラス等の光透過性を有する材料で構成されている。拡散構造体７４３は、透光性基板７４２の第１面７４２ａに形成された凹凸部からなり、その上層に波長選択膜７４６および反射防止膜７４７がコーティングできる程度の滑らかな表面を有している。拡散構造体７４３の具体例として、例えばマイクロレンズアレイ、ホログラフィックディフューザー、表面を僅かに溶融させた磨りガラス表面等が用いられる。
【００６６】
波長選択膜７４６は、透光性基板７４２の第１面７４２ａにおける拡散構造体７４３の上に積層されている。波長選択膜７４６は、例えば拡散構造体７４３の上に誘電体多層膜をコーティングすることにより得られる。波長選択膜７４６は、青色域の光を透過させ、緑色域および赤色域の光を反射させる特性を有する。
【００６７】
反射防止膜７４７は、透光性基板７４２の第１面７４２ａにおける波長選択膜７４６の上に積層されている。反射防止膜７４７は、例えば波長選択膜７４６の上に誘電体多層膜をコーティングすることにより得られる。反射防止膜７４７は、青色域の光の反射を防止する特性を有する。
【００６８】
反射膜７４８は、透光性基板７４２の第２面７４２ｂに形成されている。反射膜７４８は、例えば透光性基板７４２の第２面７４２ｂに誘電体多層膜、もしくは銀、アルミニウム等の金属膜をコーティングすることにより得られる。反射膜７４８は、青色域の光を反射させる特性を有する。なお、青色光に対して、第１面７４２ａの拡散構造体７４３による拡散だけでは拡散特性が不足する場合には、透光性基板７４２の第２面７４２ｂにも、第１面７４２ａと同様の凹凸構造体が設けられていてもよい。
【００６９】
以上の構成により、拡散板７４１の第１面７４１ａは、青色光ＬＢを透過および拡散させるとともに、緑色光ＬＧおよび赤色光ＬＲを反射および拡散させる機能を有する。拡散板７４１の第２面７４１ｂは、青色光ＬＢを反射させる機能を有する。
【００７０】
図５に示すように、青色光ＬＢは、第１面７４２ａを透過して透光性基板７４２の内部に入射する際に拡散構造体７４３によって拡散され、その後、第２面７４２ｂで反射して第１面７４２ａを再度透過して透光性基板７４２から射出する際に拡散構造体７４３によって再度拡散される。
【００７１】
図６に示すように、緑色光ＬＧは、第１面７４２ａで反射する際に拡散構造体７４３によって拡散され、透光性基板７４２の内部に入射することはない。同様に、図７に示すように、赤色光ＬＲは、第１面７４２ａで反射する際に拡散構造体７４３によって拡散され、透光性基板７４２の内部に入射することはない。このように、青色光ＬＢは拡散構造体７４３によって２回拡散されるのに対して、緑色光ＬＧおよび赤色光ＬＲは拡散構造体７４３によって１回拡散される。すなわち、青色光ＬＢに対する拡散特性と、緑色光ＬＧおよび赤色光ＬＲに対する拡散特性と、は互いに異なる。
【００７２】
図４に示すように、青色光ＬＢは、光源装置７１０の中央に配置された１個の青色光用半導体レーザー７１１Ｂから射出される。その後、青色光ＬＢは、集光光学系７２０で集光されて拡散板７４１に入射する。
【００７３】
これに対して、３本の緑色光線ＬＧ１からなる緑色光ＬＧは、青色光ＬＢの中心軸Ｃ１の周りに回転対称に設けられた３個の緑色光用半導体レーザー７１１Ｇから射出される。同様に、３本の赤色光線ＬＲ１からなる赤色光ＬＲは、青色光ＬＢの中心軸Ｃ１の周りに回転対称に設けられた３個の赤色光用半導体レーザー７１１Ｒから射出される。したがって、緑色光ＬＧの中心軸Ｃ２と赤色光ＬＲの中心軸Ｃ２とは一致し、中心軸Ｃ２は青色光ＬＢの中心軸Ｃ１と一致する。
【００７４】
緑色光ＬＧおよび赤色光ＬＲは、集光光学系７２０で集光されて拡散板７４１に入射する。このとき、青色光ＬＢの光束幅は緑色光ＬＧおよび赤色光ＬＲの光束幅よりも細く、拡散板７４１に対する青色光ＬＢの入射角度分布α１は、拡散板７４１に対する緑色光ＬＧおよび赤色光ＬＲの入射角度分布α２よりも小さい。
【００７５】
ここで、仮に拡散板７４１における青色光ＬＢの拡散回数と緑色光ＬＧおよび赤色光ＬＲの拡散回数が同じであったとすると、青色光ＬＢは、緑色光ＬＧおよび赤色光ＬＲに比べて、入射角度分布が小さい分、拡散角度分布が小さくなり、スペックルノイズの抑制効果が小さくなる。ところが、本実施形態の場合、上述したように、青色光ＬＢは拡散板７４１で２回拡散されるのに対して、緑色光ＬＧおよび赤色光ＬＲは拡散板７４１で１回拡散される。したがって、青色光ＬＢは、緑色光ＬＧおよび赤色光ＬＲに比べて、入射角度分布が小さくても、拡散角度分布を同等に大きくすることができ、スペックルノイズの抑制効果を十分に得ることができる。
【００７６】
図１に戻って、ピックアップ光学系７３０は、コリメーターレンズ７３１を備えている。コリメーターレンズ７３１は、拡散板７４１から射出された光ＬＷを平行化し、インテグレーター光学系７８０に向けて射出する。
【００７７】
インテグレーター光学系７８０は、第１のレンズアレイ７８１と、第２のレンズアレイ７８２と、重畳レンズ７８３と、を備えている。インテグレーター光学系７８０は、コリメーターレンズ７３１から射出された光ＬＷの照度分布を赤色光用光変調装置４００Ｒ、緑色光用光変調装置４００Ｇ、および青色光用光変調装置４００Ｂの各々の画像形成領域において均一化する。
【００７８】
第１のレンズアレイ７８１は、拡散装置７４０から射出された光ＬＷを複数の部分光線束に分割するための複数のレンズ７８６を有する。複数のレンズ７８６は、光軸ＡＸ０と直交する面内にマトリクス状に配列されている。
【００７９】
第２のレンズアレイ７８２は、第１のレンズアレイ７８１の複数のレンズ７８６に対応する複数のレンズ７８７を備えている。第２のレンズアレイ７８２は、後段の重畳レンズ７８３とともに、第１のレンズアレイ７８１の各レンズ７８６の像を赤色光用光変調装置４００Ｒ、緑色光用光変調装置４００Ｇ、および青色光用光変調装置４００Ｂの各々の画像形成領域もしくはその近傍に結像させる。複数のレンズ７８７は、光軸ＡＸ０に直交する面内にマトリクス状に配列されている。
【００８０】
重畳レンズ７８３は、第１のレンズアレイ７８１からの各部分光線束を集光して赤色光用光変調装置４００Ｒ、緑色光用光変調装置４００Ｇ、および青色光用光変調装置４００Ｂの各々の画像形成領域もしくはその近傍で互いに重畳させる。
【００８１】
色分離導光光学系２００は、ダイクロイックミラー２４０と、ダイクロイックミラー２２０と、反射ミラー２１０と、反射ミラー２３０と、反射ミラー２５０と、を備えている。色分離導光光学系２００は、照明装置７００から射出された白色の光ＬＷを赤色光ＬＲ２、緑色光ＬＧ２、および青色光ＬＢ２に分離し、赤色光ＬＲ２、緑色光ＬＧ２、および青色光ＬＢ２をそれぞれ対応する赤色光用光変調装置４００Ｒ、緑色光用光変調装置４００Ｇ、および青色光用光変調装置４００Ｂに導く。
【００８２】
色分離導光光学系２００と、赤色光用光変調装置４００Ｒ、緑色光用光変調装置４００Ｇ、および青色光用光変調装置４００Ｂとの間には、フィールドレンズ３００Ｒ、フィールドレンズ３００Ｇ、フィールドレンズ３００Ｂがそれぞれ配置されている。
【００８３】
ダイクロイックミラー２４０は、青色光ＬＢ２を反射させ、赤色光ＬＲ２および緑色光ＬＧ２を透過させる。ダイクロイックミラー２２０は、緑色光ＬＧ２を反射させ、青色光ＬＢ２を透過させる。反射ミラー２１０および反射ミラー２３０は、赤色光ＬＲ２を反射させる。反射ミラー２５０は、青色光ＬＢ２を反射させる。
【００８４】
赤色光用光変調装置４００Ｒ、緑色光用光変調装置４００Ｇ、および青色光用光変調装置４００Ｂのそれぞれは、入射された色光を画像情報に応じて変調して画像を形成する液晶パネルから構成されている。
【００８５】
図示を省略したが、フィールドレンズ３００Ｒ、フィールドレンズ３００Ｇ、フィールドレンズ３００Ｂと、赤色光用光変調装置４００Ｒ、緑色光用光変調装置４００Ｇ、青色光用光変調装置４００Ｂとの間には、それぞれ入射側偏光板が配置されている。赤色光用光変調装置４００Ｒ、緑色光用光変調装置４００Ｇ、青色光用光変調装置４００Ｂと合成光学系５００との間には、それぞれ射出側偏光板が配置されている。
【００８６】
合成光学系５００は、赤色光用光変調装置４００Ｒ、緑色光用光変調装置４００Ｇ、青色光用光変調装置４００Ｂから射出された各画像光を合成する。合成光学系５００は、４つの直角プリズムを貼り合わせた平面視略正方形状をなしたクロスダイクロイックプリズムからなり、直角プリズム同士を貼り合わせた略Ｘ字状の界面に誘電体多層膜が設けられている。
【００８７】
合成光学系５００から射出された画像光は、投射光学装置６００によってスクリーンＳＣＲ上に拡大投射される。
【００８８】
本実施形態の光源装置７１０においては、各色の半導体レーザー７１１Ｂ，７１１Ｇ，７１１Ｒの発光効率と、白色光を得るのに必要な各色の半導体レーザー７１１Ｂ，７１１Ｇ，７１１Ｒの光出力と、に基づいて、各色の半導体レーザー７１１Ｂ，７１１Ｇ，７１１Ｒの個数が設定されている。すなわち、発光効率の高い青色半導体レーザー７１１Ｂの個数が１個と少なく、発光効率の低い緑色半導体レーザー７１１Ｇおよび赤色半導体レーザー７１１Ｒの個数が３個と多く設定されている。また、合計７個の半導体レーザー７１１Ｂ，７１１Ｇ，７１１Ｒが上記のように配置されている。これにより、小型であることに加え、射出光のホワイトバランスを調整しやすい光源装置７１０を実現することができる。
【００８９】
また、本実施形態の場合、図４を用いて説明したように、青色光ＬＢと緑色光ＬＧおよび赤色光ＬＲとで共通の拡散板７４１を用いても、小さい入射角度分布で拡散板７４１に入射する青色光ＬＢの拡散角度分布と、大きい入射角度分布で拡散板７４１に入射する緑色光ＬＧおよび赤色光ＬＲの拡散角度分布と、を同等に揃えることができる。これにより、スペックルノイズの発生が少ない照明装置７００を実現することができる。また、各色光の光路に異なる拡散装置を別個に設ける必要がなく、小型の照明装置７００を実現することができる。
【００９０】
本実施形態の光源装置７１０においては、隣り合う２つの半導体レーザー７１１Ｂ，７１１Ｇ，７１１Ｒの発光中心同士を結んだ複数の直線ｍが互いになす角度が互いに等しいため、光源部７５０の占有面積を小さくすることができる。また、緑色半導体レーザー７１１Ｇおよび赤色半導体レーザー７１１Ｒは、青色半導体レーザー７１１Ｂを囲み、青色半導体レーザー７１１Ｂを中心とする仮想円上に位置するように保持部材７１２に配置されている。さらに、隣り合う半導体レーザー７１１Ｂ，７１１Ｇ，７１１Ｒ同士は、青色光用筐体７１６Ｂ、緑色光用筐体７１６Ｇおよび赤色光用筐体７１６Ｒの各々が互いに当接するように配置されている。これにより、蛍光体等の波長変換素子を用いることなく、白色光を射出することが可能な、小型の光源装置７１０を実現することができる。
【００９１】
さらに本実施形態の場合、拡散板７４１の第１面７４１ａに反射防止膜７４７が設けられているため、青色光ＬＢが透光性基板７４２の内部に入射する割合を高められる。これにより、青色光ＬＢの拡散角度分布をさらに広げることができる。なお、拡散板７４１の第２面７４１ｂは、青色光ＬＢを正反射させてもよいし、青色光ＬＢを拡散反射させてもよい。青色光ＬＢを拡散反射させる場合、拡散板７４１の第２面７４１ｂにも、第１面７４１ａ側と同様の拡散構造体が設けられていればよい。この場合、青色光ＬＢが拡散板７４１を通る間に３回の拡散が生じるため、青色光ＬＢの拡散角度分布をより広げることができる。
【００９２】
本実施形態のプロジェクター１０は、上記の照明装置７００を備えているため、サイズが小型であり、スペックルノイズが少ない画像を投射することができる。
【００９３】
［第２実施形態］
以下、本発明の第２実施形態について、図８を用いて説明する。
第２実施形態のプロジェクターの構成は第１実施形態と略同様であり、照明装置の構成が第１実施形態と異なる。そのため、プロジェクター全体の説明は省略し、異なる部分についてのみ説明する。
図８は、本実施形態のプロジェクターの概略構成図である。
図８において、第１実施形態で用いた図１と共通の構成要素には同一の符号を付し、説明を省略する。
【００９４】
図８に示すように、プロジェクター１５は、照明装置７０５と、色分離導光光学系２００と、赤色光用光変調装置４００Ｒと、緑色光用光変調装置４００Ｇと、青色光用光変調装置４００Ｂと、合成光学系５００と、投射光学装置６００と、を備えている。
【００９５】
照明装置７０５は、光源装置７１０と、アフォーカル光学系７２３と、偏光分離素子７６０と、位相差板７７０と、集光光学系７２５と、拡散装置７４０（拡散部）と、インテグレーター光学系７８０と、を備えている。上記の構成要素のうち、光源装置７１０、拡散装置７４０、およびインテグレーター光学系７８０の構成は第１実施形態と同様であり、説明を省略する。
【００９６】
照明装置７００において、拡散装置７４０、集光光学系７２５、位相差板７７０、偏光分離素子７６０およびインテグレーター光学系７８０は、光軸ＡＸ０上に設けられている。光源装置７１０、アフォーカル光学系７２３および偏光分離素子７６０は、光軸ＡＸ１上に設けられている。第１実施形態では、拡散装置７４０は、拡散板７４１が光軸ＡＸ０と光軸ＡＸ１のそれぞれに対して４５°の角度をなすように配置されていた。これに対し、本実施形態では、拡散装置７４０は、拡散板７４１が光軸ＡＸ０に対して垂直となるように配置されている。
【００９７】
アフォーカル光学系７２３は、光源装置７１０の後段に設けられている。アフォーカル光学系７２３は、光源装置７１０から射出された光ＬＷのビーム径を縮小する。アフォーカル光学系７２３は、凸レンズ７２４と、凹レンズ７２６と、を備えている。
【００９８】
アフォーカル光学系７２３から射出された光ＬＷは、偏光分離素子７６０に入射する。偏光分離素子７６０は、光軸ＡＸ０と光軸ＡＸ１のそれぞれに対して４５°の角度をなすように配置されている。偏光分離素子７６０は、偏光分離素子７６０に入射する光を、偏光分離素子７６０に対するＳ偏光成分とＰ偏光成分とに分離する偏光分離機能を有する。具体的には、偏光分離素子７６０は、Ｓ偏光の光を反射させ、Ｐ偏光の光を透過させる。本実施形態の場合、光源装置７１０はＳ偏光の光を射出するように設定されており、Ｓ偏光の光は偏光分離素子７６０で反射し、位相差板７７０に向かって進む。
【００９９】
位相差板７７０は、偏光分離素子７６０と拡散装置７４０との間の光路中に配置された１／４波長板から構成されている。偏光分離素子７６０で反射したＳ偏光の光ＬＷｓは、位相差板７７０を透過することにより、例えば右回りの円偏光の光ＬＷｃに変換された後、集光光学系７２５に入射する。
【０１００】
集光光学系７２５は、位相差板７７０から射出された光ＬＷｃを所定の集光位置、具体的には拡散装置７４０の拡散板７４１上に集光する。集光光学系７２５は、一つの凸レンズ７２８から構成されている。なお、集光光学系７２５は、複数のレンズから構成されていてもよい。また、集光光学系７２５は、拡散板７４１で反射した光を受光するピックアップ光学系を兼ねている。
【０１０１】
拡散板７４１に入射した右回りの円偏光の光ＬＷｃは、拡散板７４１で反射することによって、左回りの円偏光の光に変換される。左回りの円偏光の光は、位相差板７７０を透過することにより、Ｐ偏光の光ＬＷｐに変換される。Ｐ偏光の光ＬＷｐは、偏光分離素子７６０を透過してインテグレーター光学系７８０に入射する。なお、本実施形態においては、拡散板７４１から偏光分離素子７６０までの間の光路上を進行する光の偏光状態が乱れないようにする必要がある。その理由は、偏光状態が乱れた光がＳ偏光となって偏光分離素子７６０に入射すると、偏光分離素子７６０で反射して光源装置７１０の側に戻ってしまうからである。
【０１０２】
本実施形態においても、スペックルノイズの発生が少なく、ホワイトバランスに優れた小型の照明装置７０５を実現できる、スペックルノイズの少ない画像を投射可能なプロジェクター１５を実現できる、といった第１実施形態と同様の効果が得られる。
【０１０３】
なお、本発明の技術範囲は上記実施形態に限定されるものではなく、本発明の趣旨を逸脱しない範囲において種々の変更を加えることが可能である。
例えば上記実施形態では、１個の青色半導体レーザーと、３個の緑色半導体レーザーと、３個の赤色半導体レーザーと、を備えた光源装置を例示したが、各半導体レーザーの個数はこれに限定されない。例えば、光源装置は、複数の青色半導体レーザーを備えていてもよい。その場合、複数の緑色半導体レーザーおよび複数の赤色半導体レーザーは、複数の青色半導体レーザーから射出された複数の青色光からなる光束全体の中心軸の周りに、回転対称に設けられていればよい。
【０１０４】
さらに、光源装置は、例えば青色と赤色というように、少なくとも２色の半導体レーザーを備えていればよい。
【０１０５】
上記実施形態では、拡散装置として、モーターによって回転可能とされた拡散板を備えた例を挙げたが、モーターを備えていない固定型の拡散板が用いられてもよい。また、拡散装置は、拡散板を回転させる構成に代えて、例えば拡散板を揺動させる、振動させる等の構成を備えていてもよい。
【０１０６】
また、上記実施形態で例示した光源装置、照明装置、およびプロジェクターの各構成要素の数、配置、形状、材料、寸法等については、適宜変更が可能である。
【０１０７】
上記実施形態では、３つの光変調装置を備えるプロジェクターを例示したが、一つの光変調装置でカラー映像を表示するプロジェクターに適用することも可能である。また、光変調装置として、デジタルミラーデバイスが用いられてもよい。
【０１０８】
また、上記実施形態では、本発明に係る照明装置をプロジェクターに応用する例を示したが、これに限られない。本発明による照明装置を自動車用ヘッドライトなどの照明器具にも適用することができる。
【符号の説明】
【０１０９】
１０，１５…プロジェクター、４００Ｂ…青色光用光変調装置、４００Ｇ…緑色光用光変調装置、４００Ｒ…赤色光用光変調装置、６００…投射光学装置、７００，７０５…照明装置、７１０…光源装置、７１１Ｂ…青色光用半導体レーザー（第１の発光装置）、７１１Ｇ…緑色光用半導体レーザー（第２の発光装置）、７１１Ｒ…赤色光用半導体レーザー（第３の発光装置）、７１５Ｂ…青色光用半導体レーザーチップ（第１の発光素子）、７１５Ｇ…緑色光用半導体レーザーチップ（第２の発光素子）、７１５Ｒ…赤色光用半導体レーザーチップ（第３の発光素子）、７２０，７２５…集光光学系、７４０…拡散装置（拡散部）、７４１…拡散板、７４２…透光性基板、７４５…モーター（回転部）、７４７…反射防止膜、７５０…光源部。
【図１】
2019061110.tif 000005
【図２】
2019061110.tif 000006
【図３】
2019061110.tif 000007
【図４】
2019061110.tif 000008
【図５】
2019061110.tif 000009
【図６】
2019061110.tif 000010
【図７】
2019061110.tif 000011
【図８】
2019061110.tif 000012